(57)【要約】      （修正有）【課題】フィルタの詰まり度合いを検出するための監視装置を提供する。【解決手段】監視装置５０Ｂは、機械の外部の気体を前記機械の内部へ送り込むファンによって送り込まれる気体に含まれる異物を除去するフィルタの詰まり度合いを前記外部の気圧と前記内部の気圧との差に基づいて演算し、前記演算されたフィルタの詰まり度合いに関連する出力信号を出力する演算部５２と、前記外部と前記内部とを仕切る扉が閉じている状態である場合に前記出力信号の出力を許可し、前記扉が開いている状態である場合に前記出力信号の出力を禁止する出力制御部５４と、を備える。【選択図】図５
2018160511.tif 000002
【特許請求の範囲】
【請求項１】
機械の外部の気体を前記機械の内部へ送り込むファンによって送り込まれる気体に含まれる異物を除去するフィルタの詰まり度合いを前記外部の気圧と前記内部の気圧との差に基づいて演算し、前記演算されたフィルタの詰まり度合いに関連する出力信号を出力する演算部と、
前記外部と前記内部とを仕切る扉が閉じている状態である場合に前記出力信号の出力を許可し、前記扉が開いている状態である場合に前記出力信号の出力を禁止する出力制御部と、
を備える監視装置。
【請求項２】
前記扉が開いている状態と閉じている状態とのいずれであるかを示す扉信号を扉センサから受信し、前記扉信号が前記扉が開いている状態であることを示している場合に前記扉が開いることを示す判断信号を前記出力制御部に送信する開閉判断部をさらに備え、
前記出力制御部は、前記判断信号を受信した場合に前記出力信号の出力を禁止する
請求項１に記載の監視装置。
【請求項３】
前記扉は、複数の扉を含み、
前記出力制御部は、前記複数の扉のすべてが閉じている状態である場合に前記出力信号の出力を許可し、
前記出力制御部は、前記複数の扉の少なくとも一つが開いている状態である場合に前記出力信号の出力を禁止する、
請求項１または２に記載の監視装置。
【請求項４】
前記演算部は、前記出力信号として、前記フィルタの詰まり度合いを示す信号を出力する
請求項１から３のいずれか一項に記載の監視装置。
【請求項５】
前記演算部は、前記フィルタの詰まり度合いが所定値以上であるか判定し、
前記演算部は、前記フィルタの詰まり度合いが前記所定値以上であると判定した場合に、前記出力信号として、前記フィルタの交換又は清掃が必要であることを示す信号を出力する
請求項１から４のいずれか一項に記載の監視装置。
【請求項６】
前記フィルタの交換又は清掃が必要であることを示す信号を受信したことに応答して、前記フィルタの交換又は清掃が必要であることを通知する通知部
をさらに備える請求項５に記載の監視装置。
【請求項７】
請求項１から６のいずれか一項に記載の監視装置を備える現金自動受払機。
【請求項８】
前記ファンと、
前記フィルタと、
をさらに備える請求項７に記載の現金自動受払機。
【請求項９】
機械の外部の気体を前記機械の内部へ送り込むファンによって送り込まれる気体に含まれる異物を除去するフィルタの詰まり度合いを前記外部の気圧と前記内部の気圧との差に基づいて演算し、
前記演算されたフィルタの詰まり度合いに関連する出力信号を出力し、
前記外部と前記内部とを仕切る扉が閉じている状態である場合に前記出力信号の出力を許可し、
前記扉が開いている状態である場合に前記出力信号の出力を禁止する、
ことを含む監視方法。
【請求項１０】
機械の外部の気体を前記機械の内部へ送り込むファンによって送り込まれる気体に含まれる異物を除去するフィルタの詰まり度合いを前記外部の気圧と前記内部の気圧との差に基づいて演算し、
前記演算されたフィルタの詰まり度合いに関連する出力信号を出力し、
前記外部と前記内部とを仕切る扉が閉じている状態である場合に前記出力信号の出力を許可し、
前記扉が開いている状態である場合に前記出力信号の出力を禁止する、
ことをコンピュータに実行させるプログラム。
【発明の詳細な説明】
【技術分野】
【０００１】
本発明は、フィルタの詰まり度合いを検出するための監視装置、現金自動受払機、監視方法およびプログラムに関する。
【背景技術】
【０００２】
現金自動受払機（ＡＴＭ）などの機械の内部には、ファンにより強制的に外部より空気が送り込まれている。これにより、機械の内部が冷却される。機械内部への導入口には塵埃を除去するための防塵フィルタが設けられている。ファンは、このフィルタを介して機械の内部に空気を導入する。これにより、塵埃が除去された空気が機械の内部に導入される。防塵フィルタは、塵埃が付着することにより目詰まりを起こす。
【０００３】
防塵フィルタの目詰まり状態を検出する塵埃検知装置が知られている（特許文献１参照）。この塵埃検知装置は、防塵フィルタと、機械の外部の圧力を検出するセンサと、機械の内部の圧力を検出するセンサとを備える。塵埃検知装置はさらに、機械の外部の圧力と機械の内部の圧力との差に基づいてフィルタの目詰まりを検出する検出部と、フィルタの目詰まりが検出された場合、その旨を通知する通知部とを備える。
【先行技術文献】
【特許文献】
【０００４】
【特許文献１】特開２００１−２５２５１３号公報
【発明の概要】
【発明が解決しようとする課題】
【０００５】
現金自動受払機などの機械には、扉が設けられている。扉が閉じた状態においては機械の内部の気圧が機械の外部の気圧よりも高い。これは、ファンにより空気を送り込んでいるためである。一方で、扉が開いた状態においては、機械の内部と外部とが連通するため、内部の気圧が低下する。よって、扉が開いた状態においては、塵埃フィルタが目詰まりを起こしていなくても、機械の外部の圧力と機械の内部の圧力との圧力差が小さくなる。
【０００６】
特許文献１に記載の塵埃検知装置では、機械の外部の圧力と機械の内部の圧力との差が所定の値以上の場合、塵埃フィルタが目詰まりを起こしていると判定している。よって、この塵埃検知装置では、扉が開いていることに起因して機械の外部の圧力と機械の内部の圧力との差が小さい場合に塵埃フィルタが目詰まりを起こしていると判定する可能性がある。したがって、この塵埃検知装置では、実際には、フィルタが目詰まりを起こしていない状態であるにも関わらず、フィルタの目詰まりが検出された旨を通知する可能性がある。このため、誤ってフィルタが目詰まりを起こしている旨を通知することを防止することが望まれていた。
【０００７】
本発明の目的の一例は、フィルタの目詰まりに関する誤った情報の通知を防止する技術を提供することである。
【課題を解決するための手段】
【０００８】
本発明の第１の実施態様に係る監視装置は、機械の外部の気体を前記機械の内部へ送り込むファンによって送り込まれる気体に含まれる異物を除去するフィルタの詰まり度合いを前記外部の気圧と前記内部の気圧との差に基づいて演算し、前記演算されたフィルタの詰まり度合いに関連する出力信号を出力する演算部と、前記外部と前記内部とを仕切る扉が閉じている状態である場合に前記出力信号の出力を許可し、前記扉が開いている状態である場合に前記出力信号の出力を禁止する出力制御部と、を備える。
【０００９】
本発明の第２の実施態様に係る現金自動受払機は、上記の監視装置を備える。
【００１０】
本発明の第３の実施態様に係る監視方法は、機械の外部の気体を前記機械の内部へ送り込むファンによって送り込まれる気体に含まれる異物を除去するフィルタの詰まり度合いを前記外部の気圧と前記内部の気圧との差に基づいて演算し、前記演算されたフィルタの詰まり度合いに関連する出力信号を出力し、前記外部と前記内部とを仕切る扉が閉じている状態である場合に前記出力信号の出力を許可し、前記扉が開いている状態である場合に前記出力信号の出力を禁止する、ことを含む。
【００１１】
本発明の第４の実施態様に係るプログラムは、機械の外部の気体を前記機械の内部へ送り込むファンによって送り込まれる気体に含まれる異物を除去するフィルタの詰まり度合いを前記外部の気圧と前記内部の気圧との差に基づいて演算し、前記演算されたフィルタの詰まり度合いに関連する出力信号を出力し、前記外部と前記内部とを仕切る扉が閉じている状態である場合に前記出力信号の出力を許可し、前記扉が開いている状態である場合に前記出力信号の出力を禁止する、ことをコンピュータに実行させる。
【発明の効果】
【００１２】
本発明によれば、扉が開いている状態である場合に信号の出力を禁止するので、フィルタの目詰まりに関する誤った情報の通知を防止することができる。
【図面の簡単な説明】
【００１３】
【図１】本発明の第１の実施形態に係る現金自動受払機を示す模式図である。
【図２】本発明の第１の実施形態に係る監視装置を示すブロック図である。
【図３】図２に示す監視装置による処理の流れの具体例を示すフローチャートである。
【図４】本発明の第２の実施形態に係る監視装置を示すブロック図である。
【図５】本発明の第３の実施形態に係る監視装置を示すブロック図である。
【発明を実施するための形態】
【００１４】
（第１の実施形態）
図１は、本発明の第１の実施形態に係る現金自動受払機（ＡＴＭ）Ａを示す模式図である。現金自動受払機Ａは、顧客の操作によって現金の受け払い等の取引を可能にする機械である。現金自動受払機Ａは、機械の一例である。現金自動受払機Ａは、金融機関などに設置される。現金自動受払機Ａは、外気を筐体内に吸入し、内圧を高めつつ内部機器を冷却し、筐体内の各所の隙間から外部へ空気（気体）を放出するアクティブベンチレーション（通気）機能を有する。アクティブベンチレーション機能は、一般的に、塵埃の多い環境に於ける装置冷却方式として採用される。
【００１５】
現金自動受払機Ａは、外部装置Ｂに通信可能に接続されている。外部装置Ｂは、例えば、現金自動受払機Ａの整備や保守を行う業者のパソコンなどの端末である。現金自動受払機Ａは、筐体１１、エアーフィルタ（防塵フィルタ）１２、ファン１３、第１扉センサ１４、第２扉センサ１５、外気圧センサ１６、内気圧センサ１７、および監視装置５０を備えている。エアーフィルタ１２は、以下単に、フィルタ１２と称する場合がある。
【００１６】
筐体１１は、現金自動受払機Ａの内部と外部とを仕切る壁によって構成される。筐体１１は、第１扉１１１および第２扉１１２を備える。扉１１１、１１２は、開閉自在である。扉１１１、１１２は、例えば、カバー、シャッター、保守用の扉である。通常の運用状態において、扉１１１、１１２は閉じた状態である。通常の運用状態において、現金自動受払機Ａの内部の気圧が現金自動受払機Ａの外部の気圧よりも高くなるように設定されている。これは、現金自動受払機Ａの内部に塵埃が侵入することを防ぐためである。扉１１１、１１２は、紙幣や硬貨の投入や取出し時、また媒体補充や保守時に開いた状態となる。扉１１１、１１２が開いた状態においては、扉１１１、１１２を開くことにより形成される開口を流れる気流Ｆ１、Ｆ２が発生する。現金自動受払機Ａの内部の気圧が外部の気圧よりも高いため、気流Ｆ１、Ｆ２は、筐体１１の内部の空気を筐体１１の外部に排出する気流となる。
【００１７】
フィルタ１２は、塵埃など異物を取り除く。フィルタ１２は、異物が蓄積されることにより、目詰まりを起こす。ファン１３は、筐体１１に取り付けられている。ファン１３は、フィルタ１２と対向し、フィルタ１２よりも現金自動受払機Ａの内部側に設けられている。ファン１３は、フィルタ１２により異物が取り除かれた外部の空気（気体）を筐体１１内へ取り込む気流Ｆ３を発生させる。筐体１１内へ空気が取り込まれることにより、筐体１１内の気圧が上昇し、また、筐体３０内が冷却される。
【００１８】
筐体１１は、排気圧調整機構１１３をさらに備える。排気圧調整機構１１３は、筐体１１の内部の空気を外部に排気する複数（図１の例では３つ）の排気口１１３ａ、１１３ｂ、１１３ｃを有する。排気口１１３ａ〜１１３ｃは、例えば、カードの挿入口、レシートの排出口、電源の排気口である。現金自動受払機Ａの内部の気圧が外部の気圧よりも高いため、複数の排気口１１３ａ〜１１３ｃから空気が漏れる。すなわち、複数の排気口１１３ａ〜１１３ｃは、筐体１１の内部の空気を外部に排気する気流Ｆ４を生じさせる。
【００１９】
第１扉センサ１４は、例えば、筐体１１の内側の面に取り付けられている。第１扉センサ１４は、第１扉１１１が開状態であるか閉状態であるかを検出する。具体例として、第１扉センサ１４が磁気センサであり、第１扉１１１および第１扉センサ１４に磁石が設けられていている場合について説明する。この場合、第１扉１１１に設けられた磁石が第１扉センサの磁石に近づいた否かを磁気センサが検出することで、第１扉センサ１４は第１扉１１１が開状態であるか閉状態であるかを検出する。第１扉センサ１４は、第１扉１１１が開いている状態と閉じている状態とのいずれであるかを示す第１扉信号Ｕ５を出力する。第２扉センサ１５は、例えば、筐体１１の内側の面に取り付けられている。第２扉センサ１５は、第２扉１１２が開状態であるか閉状態であるかを検出する。第２扉センサ１５は、第２扉１１２が開いている状態と閉じている状態とのいずれであるかを示す第２扉信号Ｕ６を出力する。
【００２０】
外気圧センサ１６は、筐体１１の外部に設けられる。外気圧センサ１６は、ファン１３の付近であって、かつ、ファン１３により生じる気流Ｆ３の影響をあまり受けない位置に設けられていることが好ましい。外気圧センサ１６は、例えば、筐体１１の外側の面に取り付けられている。外気圧センサ１６は、筐体１１（現金自動受払機Ａ）の外部の圧力（以下、外気圧Ｐｅ）を検出し、外気圧Ｐｅの値を示す外気圧信号Ｕ１を監視装置５０へ出力する。
【００２１】
内気圧センサ１７は、筐体１１の内部に設けられる。内気圧センサ１７は、ファン１３の付近であって、かつ、ファン１３により生じる気流Ｆ３の影響をあまり受けない位置に設けられていることが好ましい。内気圧センサ１７は、例えば、筐体１１の内側の面に取り付けられている。内気圧センサ１７は、筐体１１（現金自動受払機Ａ）の内部の圧力の値（以下、内気圧Ｐｉ）を検出し、内気圧Ｐｉの値を示す内気圧信号Ｕ２を監視装置５０へ出力する。
【００２２】
監視装置５０は、外気圧信号Ｕ１、内気圧信号Ｕ２、第１扉信号Ｕ５、および第２扉信号Ｕ６を受信する。監視装置５０は、外気圧信号Ｕ１および内気圧信号Ｕ２に基づいて出力信号Ｕ４を生成する。監視装置５０は、第１扉信号Ｕ５および第２扉信号Ｕ６に基づいて出力信号Ｕ４を外部（外部装置Ｂ）に出力するか否かを決定する。監視装置５０は、出力信号Ｕ４を外部に出力すると決定した場合に、有線又は無線により出力信号Ｕ４を外部装置５に送信する。監視装置５０は、プロセッサ及び他のハードウェアを利用して所定のプログラムを実行することにより実現されてもよい。監視装置５０の詳細については後述する。
【００２３】
外部装置Ｂは、監視装置５０からの出力信号Ｕ４に基づいてフィルタ１２の詰まり度合いを音声の出力、文字や絵の表示、および光源の光の少なくとも一つにより外部装置Ｂの利用者に通知してもよい。外部装置Ｂは、監視装置５０からの出力信号Ｕ４に基づいてフィルタ１２の交換や清掃が必要であることを、音声の出力、文字や絵の表示、および光源の光の少なくとも一つにより外部装置Ｂの利用者に通知してもよい。
【００２４】
図２は、図１に示す監視装置５０の詳細を示すブロック図である。監視装置５０は、差圧検出部５１、詰まり度演算部５２、開閉判断部５３、および出力制御部５４を備える。詰まり度演算部５２は、以下単に演算部５２と称する場合がある。
【００２５】
差圧検出部５１は、外気圧センサ１６から外気圧信号Ｕ１を受信し、内気圧センサ１７から内気圧信号Ｕ２を受信する。差圧検出部５１は、外気圧信号Ｕ１および内気圧信号Ｕ２に基づいて、外気圧Ｐｅと内気圧Ｐｉとの差圧ΔＰを演算する。例えば、差圧検出部５１は、外気圧Ｐｅから内気圧Ｐｉを減算することにより、差圧ΔＰを得る。
【００２６】
気流Ｆ３が生じることにより、筐体１１の内部の気圧が上昇する。この気圧の上昇分を、吸気圧Ｐｓと表記する。吸気圧Ｐｓは、気流Ｆ３により筐体１１の内部の気圧が上昇した場合に正の値を取る。気流Ｆ４が生じることより、筐体１１の内部の気圧が低下する。この気圧の低下分を、排気圧Ｐｘと表記する。排気圧Ｐｘは、気流Ｆ４により筐体１１の内部の気圧が低下した場合に正の値を取る。
【００２７】
外気圧Ｐｅ、内気圧Ｐｉ、差圧ΔＰ、吸気圧Ｐｓ、排気圧Ｐｘは、以下の式１〜３の関係を有する。
内気圧Ｐｉ＝外気圧Ｐｅ＋（吸気圧Ｐｓ−排気圧Ｐｘ）      （式１）
差圧ΔＰ＝外気圧Ｐｅ−内気圧Ｐｉ                        （式２）
差圧ΔＰ＝−（吸気圧Ｐｓ−排気圧Ｐｘ）                  （式３）
【００２８】
フィルタ１２が詰まると、フィルタ１２を空気が通過しにくくなる。このため、フィルタ１２が詰まるにつれて気流Ｆ３が小さくなる。気流Ｆ３が小さくなるにつれて、差圧ΔＰの絶対値が小さくなる。よって、｜ΔＰ｜が大きければフィルタ１２の詰まり度合いが小さく、｜ΔＰ｜が小さければフィルタ１２の詰まり度合いが大きいという関係が成り立つ。よって、以下の（式４）が成立する。
δ＝ｆ（ΔＰ）                （式４）
【００２９】
ここで、「δ」は、フィルタ１２の異物による詰まり度合いを示す。式４は、差圧ΔＰの絶対値が小さくなるにつれて、詰まり度合いδの値が大きくなる関数である。差圧ΔＰが所定値だけ変化する毎にフィルタ１２の詰まり度合いδを実際に測定することにより得られたデータを用いて、式４の関数を得てもよい。
【００３０】
演算部５２は、式４を用いて、フィルタ１２の詰まり度合いを演算する。すなわち、演算部５２は、差圧ΔＰ（または差圧ΔＰの絶対値）を式４に代入することにより、フィルタ１２の詰まり度合いを演算する。演算部５２は、フィルタ１２の詰まり度合いに関連する出力信号Ｕ４を出力する。出力信号Ｕ４は、例えば、演算部５２によって演算されたフィルタ１２の詰まり度合いを示す信号である。
【００３１】
演算部５２は、演算されたフィルタ１２の詰まり度合いが所定値以上であるか判定してもよい。所定値は、フィルタ１２の交換や清掃が必要な度合いを示す値であってもよい。演算部５２は、演算されたフィルタ１２の詰まり度合が所定値以上であると判定された場合に、出力信号Ｕ４として、フィルタ１２の交換又は清掃が必要であることを示す信号を出力してもよい。
【００３２】
開閉判断部５３は、第１扉センサ１４から第１扉信号Ｕ５を受信し、第２扉センサ１５から第２扉信号Ｕ６を受信する。開閉判断部５３は、第１扉信号Ｕ５に基づいて、第１扉１１１が開いているか否かを判断する。開閉判断部５３は、第２扉信号Ｕ６に基づいて、第２扉１１２が開いているか否かを判断する。開閉判断部５３は、第１扉１１１および第２扉１１２のうち少なくとも一方が開いていると判断した場合、第１扉１１１および第２扉１１２のうち少なくとも一方が開いている状態であることを示す判断信号Ｕ７の出力を開始する。開閉判断部５３は、第１扉１１１および第２扉１１２の両方が閉じていると判断した場合、判断信号Ｕ７の出力を停止する。すなわち、開閉判断部５３は、第１扉１１１および第２扉１１２のうち少なくとも一方が開いている期間中は判断信号Ｕ７を出力する。一方、開閉判断部５３は、第１扉１１１および第２扉１１２の両方が閉じている期間中は判断信号Ｕ７の出力を停止する。別法として、開閉判断部５３は、第１扉１１１および第２扉１１２の両方が閉じていると判断した場合、判断信号Ｕ７として、第１扉１１１および第２扉１１２の両方が閉じていることを示す信号を出力してもよい。この場合、開閉判断部５３は、第１扉１１１および第２扉１１２のうち少なくとも一方が開いている期間中は、第１扉１１１および第２扉１１２のうち少なくとも一方が開いている状態であることを示す判断信号Ｕ７を出力する。一方、開閉判断部５３は、第１扉１１１および第２扉１１２の両方が閉じている期間中は、第１扉１１１および第２扉１１２の両方が閉じていることを示す判断信号Ｕ７を出力する。
【００３３】
出力制御部５４は、演算部５２から出力信号Ｕ４を受信する。出力制御部５４は、開閉判断部５３から判断信号Ｕ７を受信する。出力制御部５４は、判断信号Ｕ７を受信しているか否かに基づいて、第１扉１１１および第２扉１１２のうち少なくとも一方が開いているか判断する。別法として、出力制御部５４は、判断信号Ｕ７の内容に基づいて、すなわち、判断信号Ｕ７が第１扉１１１および第２扉１１２のうち少なくとも一方が開いている状態であることを示しているか否かに基づいて、第１扉１１１および第２扉１１２のうち少なくとも一方が開いているか判断してもよい。出力制御部５４は、扉１１１および１１２が閉じている状態であると判断した場合に出力信号Ｕ４の出力を許可し、扉１１１および１１２の少なくとも一方が開いている状態であると判断した場合に出力信号Ｕ４の出力を禁止する。具体的には、出力制御部５４は、開閉判断部５３から判断信号Ｕ７を受信していない場合は、出力信号Ｕ４の外部装置Ｂ（外部）への出力を許可する。すなわち、出力制御部５４は、開閉判断部５３から判断信号Ｕ７を受信していない期間中は、出力信号Ｕ４を外部装置Ｂへ出力する。一方で、出力制御部５４は、開閉判断部５３から判断信号Ｕ７を受信している場合は、出力信号Ｕ４の外部装置Ｂへの出力を禁止する。すなわち、出力制御部５４は、開閉判断部５３から判断信号Ｕ７を受信している期間中は、出力信号Ｕ４の外部装置Ｂへ出力を停止する。別法として、出力制御部５４は、判断信号Ｕ７が扉１１１および１１２が閉じている状態であることを示す信号である期間中は、出力信号Ｕ４の外部装置Ｂへの出力を許可してもよい。また、出力制御部５４は、判断信号Ｕ７が扉１１１および１１２の少なくとも一方が開いている状態であることを示す信号である期間中は、出力信号Ｕ４の外部装置Ｂへの出力を禁止してもよい。
【００３４】
図３は、監視装置５０による処理の流れの具体例を示すフローチャートである。まず、差圧検出部５１は、外気圧信号Ｕ１および内気圧信号Ｕ２に基づいて、外気圧Ｐｅと内気圧Ｐｉとの差圧ΔＰを演算する（ステップＳ１）。次に、演算部５２は、差圧と詰まり度合いとの関係を示す関数（式４）に、得られた差圧ΔＰを代入することにより、詰まり度合いを演算し、フィルタ１２の詰まり度合いに関連する信号を出力する（ステップＳ２）。次に、出力制御部５４は、第１扉１１１および第２扉１１２のうち少なくとも一方が開いているか判断する（ステップＳ３）。出力制御部５４は、扉１１１および１１２のすべてが閉じている状態である場合（ステップＳ３：ＮＯ）、フィルタ１２の詰まり度合いに関連する信号（出力信号Ｕ４）の出力を許可する（ステップＳ４）。一方、出力制御部５４は、扉１１１および１１２の少なくとも一方が開いている状態である場合（ステップＳ３：ＹＥＳ）、フィルタ１２の詰まり度合いに関する信号の出力を禁止する（ステップＳ５）。以上の処理により、図３に示す処理が終了する。監視装置５０が起動している間は、図３に示す処理が繰り返えされる。
【００３５】
本発明の第１の実施形態に係る監視装置５０および現金自動受払機Ａの利点について説明する。扉１１１、１１２が開いた状態においては、扉１１１、１１２を開くことにより形成される開口を流れる気流Ｆ１、Ｆ２が生じる。気流Ｆ１、Ｆ２の影響により、現金自動受払機Ａの内部の気圧が低下する。このため、フィルタ１２の詰まり度合いとは無関係に、筐体１１の外部の気圧と内部の気圧との差が低下する。よって、扉１１１、１１２が開いた状態においては、フィルタ１２の詰まり度合いと、筐体１１の外部の気圧と内部の気圧の差との相関関係が崩れる。したがって、扉１１１、１１２が開いた状態において得られた気圧差の値に基づいて演算されたフィルタ１２の詰まり度合いを示す値は、フィルタ１２の詰まり度合いの実際の状態を反映していない可能性がある。よって、その演算された値に関連する値を外部に出力すると、フィルタ１２が目詰まりを起こしていると誤認させる恐れがある。ここで、本発明の第１の実施形態によれば、出力制御部５４は、扉１１１および１１２の少なくとも一方が開いている状態である場合にフィルタ１２の詰まり度合いに関連する出力信号Ｕ４の外部への出力を禁止する。よって、フィルタ１２の目詰まりに関する誤った情報の通知を防止することができる。
【００３６】
以上、本発明の第１の実施形態に係る監視装置５０および現金自動受払機Ａについて図１〜３を参照して説明したが、本発明の要旨を逸脱しない限りにおいて、上記の構成に種々の変更を加えることができる。
【００３７】
例えば、第１の実施形態において、２つの扉１１１、１１２が設けられている。しかしながら、扉の数は２つに限定されない。監視装置５０が開閉状態を監視する扉の数は、１つでも、３つ以上であってもよい。具体例として、扉１１１、１１２のうち、第１扉１１１のみが開閉状態を監視する扉である場合について説明する。この場合、出力制御部５４は、第１扉１１１が閉じている状態である場合に出力信号Ｕ４の出力を許可する。一方、出力制御部５４は、第１扉１１１が開いている状態である場合に出力信号Ｕ４の出力を禁止する。
【００３８】
（第２の実施形態）
図４は、本発明の第２の実施形態に係る監視装置５０Ａを示すブロック図である。監視装置５０Ａは、通知部５５を備える点、および、出力制御部５４が外部装置Ｂの代わりに通知部５５に出力信号Ｕ４を送信する点が、第１の実施形態に係る監視装置５０と異なる。監視装置５０Ａの構成のうち、監視装置５０と同一の構成については、同一の符号を付し、詳細な説明を省く。監視装置５０Ａを備える現金自動受払機は、外部装置Ｂと接続されていない点を除いて、図１に示す現金自動受払機Ａと同様である。
【００３９】
通知部５５は、ディスプレイ、スピーカおよび光源の少なくとも一つを備える。通知部５５は、出力制御部５４からの出力信号Ｕ４に基づいて、フィルタ１２の詰まり度合いをスピーカによる音声の出力、ディスプレイによる文字や絵の表示、および光源の点灯の少なくとも一つにより通知する。通知部５５は、出力制御部５４からの出力信号Ｕ４に基づいて、フィルタ１２の交換や清掃が必要であることを、スピーカによる音声の出力、ディスプレイによる文字や絵の表示、および光源の点灯の少なくとも一つにより通知してもよい。本発明の第２の実施形態によれば、出力制御部５４は、扉１１１および１１２の少なくとも一方が開いている状態である場合にフィルタ１２の詰まり度合いに関連する出力信号Ｕ４の通知部５５への出力を禁止する。よって、フィルタ１２の目詰まりに関する誤った情報の通知を防止することができる。
【００４０】
（第３の実施形態）
図５は、本発明の第３の実施形態に係る監視装置５０Ｂを示すブロック図である。監視装置５０Ｂの構成のうち、第１の実施形態に係る監視装置５０と同一の構成については、同一の符号を付し、詳細な説明を省く。監視装置５０Ｂを備える現金自動受払機は、図１に示す現金自動受払機Ａと同様である。
【００４１】
詰まり度演算部５２は、筐体１１の外部の気体を筐体１１の内部へ送り込むファン１３によって送り込まれる気体に含まれる異物を除去するフィルタ１２の詰まり度合いを筐体１１の外部の気圧と筐体１１の内部の気圧の差に基づいて演算し、その演算されたフィルタの詰まり度合いに関連する出力信号Ｕ４を出力する。出力制御部５４は、外部と内部とを仕切る扉１１１および１１２が閉じている状態である場合に出力信号Ｕ４の出力を許可する。出力制御部５４は、扉１１１および１１２のいずれかが開いている状態である場合に出力信号Ｕ４の出力を禁止する。
【００４２】
以上、本発明の実施形態について説明した。上述の監視装置５０〜５０Ｂ、現金自動受払機Ａのそれぞれは内部に、コンピュータシステムを有していてもよい。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータがそのプログラムを実行するようにしてもよい。
【００４３】
また、上記プログラムは、前述した機能の一部を実現してもよい。さらに、上記プログラムは、前述した機能をコンピュータシステムにすでに記録されているプログラムとの組み合わせで実現できるファイル、いわゆる差分ファイル（差分プログラム）であってもよい。
【符号の説明】
【００４４】
現金自動受払機  Ａ
外部装置  Ｂ
監視装置  ５０〜５０Ｂ
差圧検出部  ５１
詰まり度演算部  ５２
開閉判断部  ５３
出力制御部  ５４
通知部  ５５
【図１】
2018160511.tif 000003
【図２】
2018160511.tif 000004
【図３】
2018160511.tif 000005
【図４】
2018160511.tif 000006
【図５】
2018160511.tif 000007